(57)【特許請求の範囲】
【請求項１】
一側が開口され内部にペットが収納されるケース本体と、このケース本体の開口部に取り付けられた開閉扉とを備えてなるペット用キャリーケースにおいて、
前記ケース本体が前記開口部を含んだ状態で分割され、
前記開閉扉が、前記開口部において、分割された前記ケース本体を互いに連結しこのケース本体の剛性を高める連結手段として用いられることを特徴とするペット用キャリーケース。
【請求項２】
請求項１に記載のペット用キャリーケースにおいて、
前記開閉扉が、その一側に設けられ前記開口部の一方に係止して開閉扉の回動を支持する回動突起と、他側に出没可能に設けられ前記ケース本体の他方に係止して開閉扉を開放しないように固定すると共に前記回動突起と相俟ってケース本体の剛性を高める連結錠とを備えたことを特徴とするペット用キャリーケース。
【請求項３】
請求項１又は２に記載のペット用キャリーケースにおいて、
前記開閉扉が、開放した状態でケース本体の壁面に沿って収納されることを特徴とするペット用キャリーケース。
【発明の詳細な説明】
【０００１】
【産業上の利用分野】
本発明は、内部にペットを収納して持ち運ぶためのペット用キャリーケースに関する。
【０００２】
【従来の技術】
従来のペット用キャリーケースとしては、例えば実開昭６０−１３３７７８号公報に記載の「折畳み式動物携帯用檻」が知られている。
【０００３】
この折畳み式動物携帯用檻は図１７に示すように構成されている。全体は、天板１と底板２と側面板３，４とで４角筒状に形成され、さらに奥側に後面板５が設けられて、ケース本体６が構成されている。このケース本体６は射出成形等により成形される関係上、側面板３，４及び後面板５が中央部で分離され、ケース本体６が上側ケース部６Ａと下側ケース部６Ｂとに２分割されている。そして、各ケース部６Ａ，６Ｂはその側面板３，４及び後面板５で互いに連結されている。
【０００４】
このケース本体６の前面は開口しており、この開口に開閉扉７が取り付けられている。この開閉扉７はその一側（図中の右側である側面板３側）の２ヵ所で開閉可能に支持され、他側で係止部８によって閉じられる（固定される）ようになっている。なお、９は開閉扉７に設けられた開閉窓である。
【０００５】
【発明が解決しようとする課題】
ところで、前述した折畳み式動物携帯用檻では、上側ケース部６Ａと下側ケース部６Ｂとが、側面板３，４及び後面板５で互いに連結され、開閉扉７が取り付けられる前面開口部分では連結部を持たないため、この部分が強度的に弱くなり、ケース本体６の剛性が弱いという問題点がある。
【０００６】
本発明は以上述べたような問題点に鑑みてなされたもので、開口部にも連結手段を設けて全体の剛性を向上させたペット用キャリーケースを提供することを目的とする。
【０００７】
【課題を解決するための手段】
前述した課題を解決するために第１の発明に係るペット用キャリーケースは、一側が開口され内部にペットが収納されるケース本体と、このケース本体の開口部に取り付けられた開閉扉とを備えてなるペット用キャリーケースにおいて、前記ケース本体が前記開口部を含んだ状態で分割され、前記開閉扉が、前記開口部において、分割された前記ケース本体を互いに連結しこのケース本体の剛性を高める連結手段として用いられることを特徴とする。
【０００８】
第２の発明に係るペット用キャリーケースは、前記開閉扉が、その一側に設けられ前記開口部の一方に係止して開閉扉の回動を支持する回動突起と、他側に出没可能に設けられ前記ケース本体の他方に係止して開閉扉を開放しないように固定すると共に前記回動突起と相俟ってケース本体の剛性を高める連結錠とを備えたことを特徴とする。
【０００９】
第３の発明に係るペット用キャリーケースは、第１又は第２の発明に係るペット用キャリーケースにおいて、前記開閉扉が、開放した状態でケース本体の壁面に沿って収納されることを特徴とする。
【００１０】
【作用】
第１の発明では、開閉扉を連結手段として用い、開口部において、分割されたケース本体を互いに連結する構成にしたので、ケース本体の中で強度的に弱くなってしまう開口部を補強することができる。これにより、ペット用キャリーケースの剛性を向上させることができる。
【００１１】
第２の発明では、開閉扉は、回動突起で開口部の一方に係止され、この開口部を開閉する。開閉扉の他側に設けられた連結錠は、ケース本体の他方に係止することで、開閉扉が開放しないように固定する。これと同時に、回動突起と連結錠とで開口部の一方と他方を互いに連結し、この開口部での剛性を向上させる。
【００１２】
第３の発明では、開閉扉をケース本体の壁面に沿って収納するようにしたので、開閉扉を開いても、この開閉扉が邪魔になることがなくなる。これにより、ペットの出し入れが容易になる。
【００１３】
【実施例】
以下、本発明の実施例について図面を参照しながら説明する。
【００１４】
［実施例の構成］
本実施例に係るペット用キャリーケース１１は、図１から図７に示すように構成されている。このペット用キャリーケース１１は、前面側が開口されて内部にペットが収納されるケース本体１２と、このケース本体１２の前面開口部１２Ａに取り付けられた開閉扉１３とから構成されている。
【００１５】
ケース本体１２は全体をほぼ直方体状に形成されている。このケース本体１２の上面部には、ケース本体１２を手で持つための取っ手１５が設けられている。この取っ手１５は、上側壁を窪ませて形成した収納凹部１５Ａに収納され、上方に突出しないようになっている。取っ手１５に隣接した裏面側（図１中の右側）には、小物入れ１６が設けられている。この小物入れ１６は、上側壁を窪ませて形成した収納部１６Ａと、この収納部１６Ａの上側を施蓋する開閉蓋１６Ｂとから構成されている。ケース本体１２の両側面部及び裏面部には縦長の通気孔１７が設けられている。ケース本体１２の底面部には、このケース本体１２が平坦面に安定して載置できるようにすると共に床面１２Ｂの強度を増すためのリブ１８が設けられている。ケース本体１２の前面部には前面開口部１２Ａが設けられている。この前面開口部１２Ａはケース本体１２の前面部とほぼ同じ大きさで、縦長の長方形状に形成されている。
【００１６】
ケース本体１２は上下に２分割して構成されている。これは、合成樹脂による射出成形の際の必要性等のためと、保管や輸送等の際に嵩ばらないようにするためである。このため、２分割されたケース本体１２は、その上側ケース部１２Ｃが下側ケース部１２Ｄ内に収納できるように寸法設定がなされている。
【００１７】
上側ケース部１２Ｃと下側ケース部１２Ｄとの接合部は、図８及び図９に示すように、互いに噛合して構成されている。図８は側面壁部及び裏面壁部での構成を、図９は前面壁部の構成を示す。図８中の２１は上側ケース部１２Ｃ側の側面壁下端部に形成された上側当接部である。この上側当接部２１は外側壁２１Ａと内側壁２１Ｂとからなり、これらによって断面が逆Ｙ字状に、全体が下方に開口した環状の溝状に形成されている。この上側当接部２１の溝部分には一定間隔毎に補強用のリブ２１Ｃが設けられている。このリブ２１Ｃの下端部は下方に突起状に延出して構成され、後述する下側当接部２２の溝部に嵌合するようになっている。さらに、リブ２１Ｃと内側壁２１Ｂとの間は一定間隔を有しており、この隙間部分に後述する下側当接部２２の内側壁２２Ｂが嵌合するようになっている。
【００１８】
下側当接部２２は外側壁２２Ａと内側壁２２Ｂとからなり、これらによって断面がＹ字状に、全体が上方に開口した環状の溝状に形成されている。そして、この外側壁２２Ａと内側壁２２Ｂとの間の溝部分に上側当接部２１のリブ２１Ｃが嵌合すると共に上側当接部２１のリブ２１Ｃと内側壁２１Ｂとの間に下側当接部２２の内側壁２２Ｂが嵌合することで、上側当接部２１と下側当接部２２とが互いに噛合するようになっている。この状態で、各外側壁２１Ａ，２２Ａとが整合し、外側面が連続した面一になるように設定されている。
【００１９】
ケース本体１２の前面開口部１２Ａ側の当接部分は図９に示すように構成されている。図中の２４は上側ケース部１２Ｃ側の前面壁下端部に形成された上側当接部である。また、２５は下側ケース部１２Ｄの前面壁上端部に形成された下側当接部である。上側当接部２４には下方に開口した環状溝２４Ａが設けられている。下側当接部２５にはこの環状溝２４Ａに嵌合する環状突起２５Ａが形成されている。上側当接部２４の環状溝２４Ａに隣接する内側には、下側当接部２５の環状突起２５Ａが環状溝２４Ａに嵌合した状態でその内側面を当接支持する内側壁２４Ｂが形成されている。
【００２０】
そして、前面開口部１２Ａを除く、上側当接部２１と下側当接部２２との間には、図３から図７に示すように、上側ケース部１２Ｃと下側ケース部１２Ｄとを互いに連結する連結部２６が一定間隔毎に設けられている。この連結部２６は、上側当接部２１と下側当接部２２とに相対向して設けられたバックル受け凹部（図示せず）と、上側当接部２１と下側当接部２２とが互いに噛合した状態で各バックル受け凹部に掛け渡されて上側ケース部１２Ｃと下側ケース部１２Ｄとを互いに連結するバックル２７とから構成されている。
【００２１】
開閉扉１３はケース本体１２の前面開口部１２Ａの上端部に回動可能に支持されている。この開閉扉１３は、図１０及び図１１に示すように、全体が四角形で、縦横に交差した格子によって構成されている。開閉扉１３の側面形状は縦方向中央部を外側に盛り上げた山形に構成されている。この開閉扉１３の上部の両側には回動突起２８が設けられている。この回動突起２８は、前面開口部１２Ａの上部でケース本体１２の上側ケース部１２Ｃ側に係止して開閉扉１３の回動を支持する。開閉扉１３の下部には連結錠２９が設けられている。この連結錠２９は、開閉扉１３に対して出没可能に設けられ、前面開口部１２Ａの下部でケース本体１２の下側ケース部１２Ｄ側に係止して開閉扉１３を開放しないように固定する。そして、開閉扉１３は回動突起２８及び連結錠２９によって、２分割されたケース本体１２を前面開口部１２Ａで互いに連結する。即ち、開閉扉１３は上側ケース部１２Ｃと下側ケース部１２Ｄとを連結する連結手段として機能する。これにより、開閉扉１３が、前面開口部１２Ａを除く他の部分に設けられた連結部２６と共に、上側ケース部１２Ｃと下側ケース部１２Ｄとを互いに連結し、ペット用キャリーケース１１の剛性を向上させる。
【００２２】
連結錠２９は、図１２から図１５に示すように構成されている。なお、この図１２から図１５は連結錠２９の組み立て行程を説明した模式図である。
【００２３】
連結錠２９は、開閉扉１３の側面から出没して前面開口部１２Ａの下側ケース部１２Ｄ側に設けた嵌合穴（図示せず）に嵌合する２本の嵌合棒３１と、各嵌合棒３１の基端部にそれぞれ係止して各嵌合棒３１を出没動作させるスライダ３２と、各スライダ３２の間に装着され各スライダ３２を互いに離間する方向に付勢するスプリング３３と、スライダ３２及びスプリング３３を覆って設けられスライダ３２の摺動を許容するカバー３４とから構成されている。嵌合棒３１は、図１２に示すように基端部がＬ型に折り曲げて形成され、開閉扉１３の下端部において左右両側（図１２中の上下両側）にそれぞれ出没可能に装着される。スライダ３２には、図１３に示すように、嵌合棒３１の基端部に嵌合する嵌合穴３２Ａが設けられている。この嵌合穴３２Ａが各嵌合棒３１の基端部に嵌合した状態でスライダ３２が装着される。このスライダ３２の内側面にはスプリング受け部３２Ｂが設けられている。各スプリング受け部３２Ｂの間には、図１４に示すように、スプリング３３が装着され、図１５に示すように、カバー３４が取り付けられる。
【００２４】
開閉扉１３は、図１に示すように、前面開口部１２Ａにおいて、上方に開放した状態でケース本体１２の内側壁面に沿って収納し得るようになっている。この開閉扉１３の収納は案内レール部３７によって案内されるようになっている。この案内レール部３７は図８図９及び図１６に示すように構成されている。具体的には、ケース本体１２の上側ケース部１２Ｃの上端部両側に取り付けられている。上側ケース部１２Ｃの上端部両側には一定間隔毎にねじ受け部３８が設けられ、案内レール部３７はこのねじ受け部３８にねじ３９で固定されている。案内レール部３７は、ケース本体１２の内側に向けて延出した上側板部４０Ａ及び下側板部４０Ｂで構成された案内溝４０と、下側板部４０Ｂの反対側に延出して設けられた固定用フランジ４０Ｃとから構成されている。下側板部４０Ｂは、開閉扉１３の回動突起２８を下側から支持すると共に、ケース本体１２内に挿入された開閉扉１３自体も下側から支持する。そして、固定用フランジ４０Ｃに設けられたねじ穴４０Ｄを介してねじ３９がねじ受け部３８に螺合することで、案内レール部３７がケース本体１２側に固定されている。各案内レール部３７の案内溝４０に開閉扉１３の回動突起２８がそれぞれ回動可能に、かつ摺動可能に嵌合されている。さらに、案内溝４０の最奥部は閉塞板４０Ｅによって塞がれている。案内溝４０の入口側は、ケース本体１２の前面壁４１で塞がれ、嵌合した回動突起２８が脱落しないようになっている。さらに、案内溝４０の入口側には、開閉扉１３がケース本体１２内に挿入されたときに、連結錠２９の嵌合棒３１が嵌合する嵌合穴（図示せず）が設けられている。これは、ケース本体１２内に収納した開閉扉１３が不用意に飛び出さないようにするためである。
【００２５】
［実施例の作用］
以上のように構成されたペット用キャリーケース１１は、保管時や輸送時においては、分解されている。即ち、バックル２７が外されてケース本体１２が上側ケース部１２Ｃと下側ケース部１２Ｄに分割されている。開閉扉１３は上側ケース部１２Ｃ内に収納され、この上側ケース部１２Ｃが上下反転された状態で下側ケース部１２Ｄ内に嵌合されている。
【００２６】
組み立てるときは、上側ケース部１２Ｃを下側ケース部１２Ｄから取り出して上側当接部２１と下側当接部２２とを互いに噛合させ、連結部２６においてバックル２７で互いに固定する。次いで、開閉扉１３を上側ケース部１２Ｃから取り出して前面開口部１２Ａを閉じる。
【００２７】
ペットを中に入れるときは、連結錠２９の各スライダ３２を手で持って互いに近接させ、各嵌合棒３１を開閉扉１３の側面から没入させる。この状態で開閉扉１３を手前に引き上げ、ケース本体１２内に押し込む。次いで、ペットを中に入れ、開閉扉１３を閉じてスライダ３２から手を離す。これにより、各嵌合棒３１が開閉扉１３の側壁から延出して嵌合穴（図示せず）に嵌合する。この結果、開閉扉１３が開放しないように閉じた状態で固定されると共に、回動突起２８と相俟って上側ケース部１２Ｃと下側ケース部１２Ｄとを互いに連結する。この状態で、取っ手１５を手で持上げると、下側ケース部１２Ｄ側にペットの荷重がかかり、この荷重が各連結部２６及び開閉扉１３で上側ケース部１２Ｃ側にかかる。通常、前面開口部１２Ａには連結部２６がないため、強度的に弱くなることが多いが、この部分も連結手段として機能する開閉扉１３によって強度の低下を防止している。
【００２８】
ペットを外に出すときは、連結錠２９のスライダ３２を手で持って開閉扉１３を開き、水平状態になったところで、そのままケース本体１２内に押し込む。これにより、開閉扉１３の回動突起２８が案内レール部３７の案内溝４０に案内され、さらに開閉扉１３が下側板部４０Ｂに下側から支持されて内部に挿入される。際奥まで挿入した状態でスライダ３２から手を離し、各嵌合棒３１を嵌合穴に嵌合させ、開閉扉１３をケース本体１２側に固定する。この状態で、ペットを外に取り出す。
【００２９】
［実施例の効果］
以上のように、開閉扉１３をケース本体１２の上下を連結する連結手段として用いたので、前面開口部１２Ａの部分での強度が向上し、ペット用キャリーケース１１の剛性が向上する。
【００３０】
開閉扉１３をケース本体１２内に収納するように構成したので、開閉扉１３に煩わされずに容易にペットの出し入れをすることができる。
【００３１】
さらに、開閉扉１３がケース本体１２内に収納された状態で連結錠２９によって固定されるので、開閉扉１３がケース本体１２から不用意に飛び出して前面開口部１２Ａが閉じることがなくなる。
【００３２】
［変形例］
前記実施例では、ケース本体１２を直方体状に形成したが、立方体や球形状や円柱状等の他の形状でもよい。
【００３３】
開口部（前面開口部１２Ａ）の設置位置は前面に限らず、上側面等の他の位置でもよい。また、ケース本体１２の分割も２分割に限らず、分割をしない単体でも、３分割以上でもよい。この場合において、前記実施例ではケース本体１２を前面開口部１２Ａを含んだ状態で分割して（前面開口部１２Ａも分割して）全体を構成したが、ケース本体１２を分割をしない単体の場合や２分割以上で前面開口部１２Ａを分割しない場合でもよい。この場合にもケース本体１２の中で、開口部分の強度が弱くなるので、この開口部分を開閉扉によって補強することで、ケース本体１２の剛性を向上させることができる。
【００３４】
前記実施例では、案内レール部３７をケース本体１２の上側に設け、開閉扉１３が上側に開放するように構成したが、案内レール部３７をケース本体１２の下側に設けて開閉扉１３を下側に開放するように構成してもよい。この場合にはペットが乗る床面の下側に開閉扉１３の収納スペースを構成する。
【００３５】
さらに、開閉扉１３を右方向または左方向に開放するように構成してもよい。この場合には、ケース本体１２の右側または左側に案内レール部３７を設けると共に開閉扉１３の収納スペースを構成する。ペットにとってあまり支障にならない場合には収納スペースを設けなくてもよい。
【００３６】
また、案内レール部３７をケース本体１２の外側に設け、開閉扉１３をケース本体１２の外側壁面に沿って収納させるようにしてもよい。
【００３７】
【発明の効果】
以上詳細に説明したように本発明によれば、次の効果を奏することができる。
【００３８】
（１）  開閉扉をケース本体の上下を連結する連結手段として用いたので、開口部での強度が向上し、ペット用キャリーケースの剛性が向上する。
【００３９】
（２）  回動突起と連結錠とが開口部でそれぞれケース本体に嵌合して連結するので、この開口部での強度が向上し、ペット用キャリーケースの剛性が向上する。
【００４０】
（３）  開閉扉がケース本体の壁面に沿って収納されるように構成したので、開閉扉に煩わされずに容易にペットの出し入れをすることができる。
【図面の簡単な説明】
【図１】  本発明に係るペット用キャリーケースの全体構成を示す側面断面図である。
【図２】  本発明に係るペット用キャリーケースを示す正面図である。
【図３】  本発明に係るペット用キャリーケースを示す側面図である。
【図４】  本発明に係るペット用キャリーケースを示す平面図である。
【図５】  本発明に係るペット用キャリーケースを示す後面図である。
【図６】  本発明に係るペット用キャリーケースを示す底面図である。
【図７】  本発明に係るペット用キャリーケースを示す後面断面図である。
【図８】  上側ケース部と下側ケース部との噛合状態を示す要部断面図である。
【図９】  案内レール部の取り付け状態を示す要部断面図である。
【図１０】  開閉扉を示す側面断面図である。
【図１１】  開閉扉を示す要部平面図である。
【図１２】  開閉扉の下側部及び連結錠の嵌合棒を示す平面図である。
【図１３】  連結錠のスライダを示す平面図である。
【図１４】  嵌合棒にスライダを嵌合してスプリングを装着する状態を示す平面図である。
【図１５】  連結錠を示す平面図である。
【図１６】  案内レール部の取り付け状態を示す要部断面図である。
【図１７】  従来のペット用キャリーケース（折畳み式動物携帯用檻）を示す斜視図である。
【符号の説明】
１１…ペット用キャリーケース、１２…ケース本体、１２Ａ…前面開口部、１２Ｃ…上側ケース部、１２Ｄ…下側ケース部、１３…開閉扉、２１…上側当接部、２２…下側当接部、２６…連結部、２７…バックル、２８…回動突起、２９…連結錠、３７…案内レール部、４０…案内溝。
【図１】
0003682996.tif 000002
【図２】
0003682996.tif 000003
【図３】
0003682996.tif 000004
【図４】
0003682996.tif 000005
【図５】
0003682996.tif 000006
【図６】
0003682996.tif 000007
【図７】
0003682996.tif 000008
【図８】
0003682996.tif 000009
【図９】
0003682996.tif 000010
【図１０】
0003682996.tif 000011
【図１１】
0003682996.tif 000012
【図１２】
0003682996.tif 000013
【図１３】
0003682996.tif 000014
【図１４】
0003682996.tif 000015
【図１５】
0003682996.tif 000016
【図１６】
0003682996.tif 000017
【図１７】
0003682996.tif 000018